(57)【特許請求の範囲】
【請求項１】
携帯型電子デバイスを支持するための折りたたみ式キーボードを有するドッキングステーションであって、
前記携帯型電子デバイスを配置するため上カバーと、
第１ガイド部、第２ガイド部および前記第１ガイド部と前記第２ガイド部を連接する屈折点をそれぞれ有する２つのＬ型ガイド溝と、前記２つのＬ型ガイド溝の間に配置されたシュートとを有するベースと、
一端が前記上カバーに枢接され、他端が前記ベースに枢接された支持部材と、
前記シュートにスライド可能に配置され、前記上カバーに枢接されたスライドアセンブリと、
対応する前記Ｌ型ガイド溝にスライド可能に配置され、前記スライドアセンブリに枢接された２つのサブキーボードと
を含み、前記上カバーが前記スライドアセンブリを介して前記ベースに相対して回動した時、前記スライドアセンブリを連動させて前記ベースに相対してスライドし、前記２つのサブキーボードを連動させ、各前記サブキーボードが前記第１ガイド部に沿って前記屈折点にスライドした時、前記２つのサブキーボードが回動して完全なキーボードに組み立てられ、前記支持部材が前記上カバーを支持するため、各前記サブキーボードが前記屈折点から前記第２ガイド部に沿ってスライドした時に、前記上カバーと前記完全なキーボードの間の角度を変更することができる折りたたみ式キーボードを有するドッキングステーション。
【請求項２】
各前記Ｌ型ガイド溝の前記第２ガイド部が、前記シュートに平行である請求項１に記載の折りたたみ式キーボードを有するドッキングステーション。
【請求項３】
前記２つのＬ型ガイド溝が、前記シュートを対称線として対称配置された請求項１に記載の折りたたみ式キーボードを有するドッキングステーション。
【請求項４】
各前記Ｌ型ガイド溝において、前記屈折点における回転角が直角である請求項１に記載の折りたたみ式キーボードを有するドッキングステーション。
【請求項５】
各前記Ｌ型ガイド溝の前記第１ガイド部が、起点および中間点を有し、前記起点が、前記中間点と前記屈折点の間に位置し、前記上カバーが前記スライドアセンブリを連動させて前記ベースに相対してスライドし、各前記サブキーボードを連動させた時、各前記サブキーボードが、前記起点から前記中間点を通過して前記屈折点にスライドする請求項１に記載の折りたたみ式キーボードを有するドッキングステーション。
【請求項６】
前記スライドアセンブリが、
前記シュートにスライド可能に配置されたスライド軸と、
一端が前記上カバーに枢接し、他端が前記スライド軸に連接された枢接部材と
を含む請求項１に記載の折りたたみ式キーボードを有するドッキングステーション。
【請求項７】
各前記サブキーボードが、複数の位置決め部を有し、前記ドッキングステーションが、
ベースに固設され、それぞれ前記２つのサブキーボードに対応する２つの位置決めアセンブリ
をさらに含み、各前記位置決めアセンブリが、対応する前記位置決め部に選択的に係合され、各前記サブキーボードを前記ベースに固定させることができる請求項１に記載の折りたたみ式キーボードを有するドッキングステーション。
【請求項８】
前記複数の位置決め部が、位置決め孔であり、各前記位置決めアセンブリが、
位置決め柱と、
前記位置決め柱に套設された弾性部材と
を含み、前記位置決め柱が、前記弾性部材の弾力により、対応する前記位置決め孔の中に係合された請求項７に記載の折りたたみ式キーボードを有するドッキングステーション。
【請求項９】
各前記サブキーボードが、突出部を有し、各前記サブキーボードが、対応する前記突出部を介して、対応する前記Ｌ型ガイド溝にスライド可能に配置された請求項１に記載の折りたたみ式キーボードを有するドッキングステーション。
【発明の詳細な説明】
【技術分野】
【０００１】
本発明は、ドッキングステーションに関するものであり、特に、折りたたみ式キーボードを有するドッキングステーションに関するものである。
【背景技術】
【０００２】
現代の電子製品は常に進化しており、中でも、タブレットＰＣ（tablet PC）やスマートフォン（smart phone）といった携帯に便利でメッセージの送受信を即時に行える携帯型電子デバイスが消費者に広く普及している。
【０００３】
携帯型電子デバイスは携帯に便利という利点を有するが、使用者が手で持って固定しなければならないため、長時間持ち続ける場合には、使用者にとって不便である。また、現在の携帯型電子デバイスの多くは、タッチパネルを入力インターフェースとして使用しているが、タッチ入力方式は、実際の打鍵感を使用者に与えることができないため、打鍵感を有する実体のキーボードを携帯型電子デバイスに取り付ける必要が依然としてある。
【発明の概要】
【発明が解決しようとする課題】
【０００４】
上述した問題を改善するため、現有の技術は、キーボードを有するドッキングステーションを開発している。しかし、現有の技術は、ドッキングステーションの体積を減らすために、通常、ドッキングステーションの中に折りたたみ式キーボードを配置しているため、使用者がキーボードを使用する時は、キーボードを手動で組み立てなければならない。また、ドッキングステーションは、通常、支持フレームを取り付けることによって携帯型電子デバイスのスクリーンとキーボードの間の視角を調整するため、使用者が視角を変更する時は、支持フレームの位置を手動で調整しなければならない。しかしながら、上述したドッキングステーションは、使用者がキーボードを使用する必要があるかどうか、または視角を調整する必要があるかどうかに関わらず、いずれもこれらの作業を手動で別々に行う必要があるため、使用者にとって不便である。
【課題を解決するための手段】
【０００５】
本発明は、優れた操作便利性を有する折りたたみ式キーボードを有するドッキングステーションを提供する。
【０００６】
本発明は、携帯型電子デバイスをドッキングするための折りたたみ式キーボードを有するドッキングステーションを提供する。折りたたみ式キーボードを有するドッキングステーションは、上カバーと、ベースと、支持部材と、スライドアセンブリと、２つのサブキーボードとを含む。上カバーは、携帯型電子デバイスを支持するために用いられる。ベースは、シュートおよび２つのＬ型ガイド溝を有する。シュートは、２つのＬ型ガイド溝の間に配置され、各Ｌ型ガイド溝は、第１ガイド部、屈折点および第２ガイド部を有し、屈折点は、第１ガイド部と第２ガイド部を連接する。支持部材の一端は、上カバーに枢接され、他端は、ベースに枢接される。スライドアセンブリは、シュートにスライド可能に配置され、上カバーに枢接される。各サブキーボードは、対応するＬ型ガイド溝にスライド可能に配置され、スライドアセンブリに枢接される。上カバーがスライドアセンブリを介してベースに相対して回動した時、スライドアセンブリを連動させてベースに相対してスライドし、２つのサブキーボードを連動させる。各サブキーボードが第１ガイド部に沿って屈折点にスライドした時、２つのサブキーボードが回動して完全なキーボードに組み立てられ、支持部材が上カバーを支持するため、各サブキーボードが屈折点から第２ガイド部に沿ってスライドした時に、上カバーと完全なキーボードの間の角度を変更することができる。
【０００７】
本発明の１つの実施形態において、上述した各Ｌ型ガイド溝の第２ガイド部は、シュートに平行である。
【０００８】
本発明の１つの実施形態において、上述した２つのＬ型ガイド溝は、シュートを対称線として対称配置される。
【０００９】
本発明の１つの実施形態において、上述した各Ｌ型ガイド溝において、屈折点における回転角は、直角である。
【００１０】
本発明の１つの実施形態において、上述した各Ｌ型ガイド溝の第１ガイド部は、起点および中間点を有し、起点は、中間点と屈折点の間に位置し、上カバーがスライドアセンブリを連動させてベースに相対してスライドし、各サブキーボードを連動させた時、各サブキーボードは、起点から中間点を通過して屈折点にスライドする。
【００１１】
本発明の１つの実施形態において、上述したスライドアセンブリは、スライド軸と、枢接部材とを含む。スライド軸は、シュートにスライド可能に配置される。枢接部材の一端は、上カバーに枢接し、他端は、スライド軸に連接する。
【００１２】
本発明の１つの実施形態において、上述した各サブキーボードは、複数の位置決め部を有し、ドッキングステーションは、さらに、２つの位置決めアセンブリを含む。２つの位置決めアセンブリは、ベースに固設され、それぞれ２つのサブキーボードに対応する。各位置決めアセンブリは、対応する位置決め部に選択的に係合され、各サブキーボードをベースに固定させることができる。
【００１３】
本発明の１つの実施形態において、上述した複数の位置決め部は、位置決め孔であり、各位置決めアセンブリは、位置決め柱と、弾性部材とを含む。弾性部材は、位置決め柱に套設され、位置決め柱は、弾性部材の弾力により、対応する位置決め孔の中に係合される。
【００１４】
本発明の１つの実施形態において、上述した各サブキーボードは、突出部を有する。各サブキーボードは、対応する突出部を介して、対応するＬ型ガイド溝にスライド可能に配置される。
【発明の効果】
【００１５】
以上のように、本発明の実施形態のドッキングステーションは、スライドアセンブリが上カバーと２つのサブキーボードを連接しているため、２つのサブキーボードと上カバーを連動させることができる。そのため、使用者が上カバーをベースに相対して回動起立させた時、同時に、２つのサブキーボードを連動させて、完全なキーボードに組み立てることができる。さらに、２つのサブキーボードを完全なキーボードに組み立てた後、使用者は、上カバーを引き続きベースに相対して回動起立させることができるため、各サブキーボードを引き続き対応するＬ型ガイド溝でスライドさせて、上カバーと完全なキーボードの間の角度を変更することができ、これにより、快適な視角を得ることができる。上述した操作過程において、支持部材は、上カバーとベースの間を支持して、上カバーを安定して起立させるため、使用者は、上カバーを移動させるだけで他の部材を連動させることができ、操作過程を簡単にすることができる。したがって、本発明のドッキングステーションは、優れた操作便利性を有する。
【００１６】
本発明の上記および他の目的、特徴、および利点をより分かり易くするため、図面と併せた幾つかの実施形態を以下に説明する。
【図面の簡単な説明】
【００１７】
【図１（ａ）】本発明の１つの実施形態に係る折りたたみ式キーボードを有するドッキングステーションの概略的斜視図である。
【図１（ｂ）】図１（ａ）のドッキングステーションの概略的底面図である。
【図１（ｃ）】図１（ａ）のドッキングステーションの別の視角の概略的展開図である。
【図２（ａ）】サブキーボードが中間点にある時のドッキングステーションの概略的斜視図である。
【図２（ｂ）】図２（ａ）のドッキングステーションの概略的底面図である。
【図２（ｃ）】図２（ａ）のドッキングステーションの概略的側面図である。
【図２（ｄ）】図２（ｂ）における線ＡＡ’に沿った概略的断面図である。
【図３（ａ）】サブキーボードが屈折点にある時のドッキングステーションの概略的斜視図である。
【図３（ｂ）】図３（ａ）のドッキングステーションの概略的底面図である。
【図３（ｃ）】図３（ａ）のドッキングステーションの概略的側面図である。
【図３（ｄ）】図３（ｂ）における線ＢＢ’に沿った概略的断面図である。
【図４（ａ）】サブキーボードが終点にある時のドッキングステーションの概略的斜視図である。
【図４（ｂ）】図４（ａ）のドッキングステーションの概略的底面図である。
【図４（ｃ）】図４（ａ）のドッキングステーションの概略的側面図である。
【発明を実施するための形態】
【００１８】
図１（ａ）は、本発明の１つの実施形態に係る折りたたみ式キーボードを有するドッキングステーションの概略的斜視図である。図１（ｂ）は、図１（ａ）のドッキングステーションの概略的底面図である。図１（ｃ）は、図１（ａ）のドッキングステーションの別の視角の概略的展開図である。ここで、説明すべきこととして、図面を明確にするため、以下の概略的底面図は、一部の部材を省略してある。図１（ａ）〜図１（ｃ）を同時に参照すると、本実施形態の折りたたみ式キーボードを有するドッキングステーション１００は、タブレットＰＣやスマートフォン等の携帯型電子デバイス５０を支持するために用いられ、使用者は、携帯している携帯型電子デバイス５０をドッキングステーション１００にドッキングさせることによって、長時間持ち続けた時の不快感を回避することができる。
【００１９】
ドッキングステーション１００は、上カバー１１０と、ベース１２０と、支持部材１３０と、スライドアセンブリ１４０と、サブキーボード１５０ａと、サブキーボード１５０ｂと、下カバー１６０とを含む。ベース１２０は、シュート１２２、Ｌ型ガイド溝１２４ａおよびＬ型ガイド溝１２４ｂを有する。シュート１２２は、Ｌ型ガイド溝１２４ａとＬ型ガイド溝１２４ｂの間に配置される。支持部材１３０の一端は、上カバー１１０に枢接され、他端は、ベース１２０に枢接される。スライドアセンブリ１４０は、シュート１２２にスライド可能に配置され、上カバー１１０に枢接される。サブキーボード１５０ａは、Ｌ型ガイド溝１２４ａにスライド可能に配置され、サブキーボード１５０ｂは、Ｌ型ガイド溝１２４ｂにスライド可能に配置される。サブキーボード１５０ａおよびサブキーボード１５０ｂは、スライドアセンブリ１４０に枢接される。下カバー１６０は、ベース１２０を覆い、携帯型電子デバイス５０の底部全体を保護する。図１（ａ）の概略的斜視図は、上カバー１１０が携帯型電子デバイス５０を支持し、且つベース１２０に相対して閉じられている状態を示したものであり、携帯型電子デバイス５０の表示面５０ａを上カバー１１０に露出させ、この時、サブキーボード１５０ａとサブキーボード１５０ｂを上カバー１１０とベース１２０の間に収納することによって、ドッキングステーション１００の全体の体積を効果的に縮小することができる。
【００２０】
図１（ａ）の状態において、使用者は、例えば、タッチ方式で携帯型電子デバイス５０を操作することができる。使用者が入力インターフェースをキーボードに変更する必要がある場合、上カバー１１０をベース１２０に相対して回動起立させることにより、サブキーボード１５０ａとサブキーボード１５０ｂを連動させて、完全なキーボード１５０に組み立てることができる（図３（ａ）に示す）。本実施形態において、スライドアセンブリ１４０は、上カバー１１０、サブキーボード１５０ａおよびサブキーボード１５０ｂを連接しているため、上カバー１１０、サブキーボード１５０ａおよびサブキーボード１５０ｂは、連動関係を有する。具体的に説明すると、上カバー１１０がベース１２０に相対して閉じられている状態（図１（ａ）に示す）から、スライドアセンブリ１４０を介してベース１２０に相対して回動起立する状態に変更した時、上カバー１１０は、スライドアセンブリ１４０をベース１２０のシュート１２２に相対してスライドさせ、同時に、サブキーボード１５０ａとサブキーボード１５０ｂを連動させて、それぞれＬ型ガイド溝１２４ａおよびＬ型ガイド溝１２４ｂにスライドさせるため、完全なキーボード１５０に組み立てられる（図３（ａ）に示す）。注意すべきこととして、上カバー１１０がベース１２０に相対して回動起立する過程において、支持部材１３０は、上カバー１１０を支持して、上カバー１１０を安定して起立させるため、上カバー１１０が携帯型電子デバイス５０を収納した後に重すぎて倒れるのを防ぐことができる。
【００２１】
このように、上カバー１１０がベース１２０に相対して回動起立すると同時に、サブキーボード１５０ａとサブキーボード１５０ｂを完全なキーボード１５０に組み立てることができるため、使用者の操作手順が簡易化される。さらに、サブキーボード１５０ａとサブキーボード１５０ｂを完全なキーボード１５０に組み立てた後、上カバー１１０は、引き続きベース１２０に相対して回動することができるため、スライドアセンブリ１４０がシュート１２２においてスライドすることによって、サブキーボード１５０ａとサブキーボード１５０ｂをそれぞれＬ型ガイド溝１２４ａとＬ型ガイド溝１２４ｂに引き続きスライドさせることができる。この時、上カバー１１０と完全なキーボード１５０の間の角度を変更することにより（図４（ａ）に示す）、表示面５０ａの視角を調整することができる。つまり、本実施形態は、サブキーボード１５０ａとサブキーボード１５０ｂを完全なキーボード１５０に組み立てた後、さらに上カバー１１０と完全なキーボード１５０の間の角度を変更することもできる。
【００２２】
本実施形態において、サブキーボード１５０ａは、突出部１５２ａを有し、サブキーボード１５０ｂは、突出部１５２ｂを有する。サブキーボード１５０ａは、突出部１５２ａを介してＬ型ガイド溝１２４ａにスライド可能に配置され、サブキーボード１５０ｂは、突出部１５２ｂを介してＬ型ガイド溝１２４ｂにスライド可能に配置される。Ｌ型ガイド溝１２４ａおよびＬ型ガイド溝１２４ｂは、シュート１２２を対称線として対称配置される。Ｌ型ガイド溝１２４ａは、第１ガイド部１２４ａ‐１、屈折点Ｐ３ａおよび第２ガイド部１２４ａ‐２を有し、屈折点Ｐ３ａは、第１ガイド部１２４ａ‐１および第２ガイド部１２４ａ‐２を連接する。Ｌ型ガイド溝１２４ａは、さらに、起点Ｐ１ａ、中間点Ｐ２ａおよび終点Ｐ４ａを有し、起点Ｐ１ａおよび中間点Ｐ２ａは、第１ガイド部１２４ａ‐１に配置され、終点Ｐ４ａは、第２ガイド部１２４ａ‐２に配置される。サブキーボード１５０ａを図１（ａ）のように上カバー１１０とベース１２０の間に収納した時、突出部１５２ａは、起点Ｐ１ａに配置され、図１（ｂ）の破線で示したように、突出部１５２ａは、中間点Ｐ２ａ、屈折点Ｐ３ａおよび終点Ｐ４ａに配置される。屈折点Ｐ３ａは、起点Ｐ１ａと終点Ｐ４ａの間に配置され、第１ガイド部１２４ａ‐１と第２ガイド部１２４ａ‐２を連接し、起点Ｐ１ａは、中間点Ｐ２ａと屈折点Ｐ３ａの間に配置される。第２ガイド部１２４ａ‐２は、シュート１２２に平行である。Ｌ型ガイド溝１２４ａにおいて、屈折点Ｐ３ａの回転角φａは直角であるが、別の実施形態において、回転角φａの角度は、ドッキングステーション１００の大きさに応じて任意に調整してもよい。
【００２３】
同様にして、Ｌ型ガイド溝１２４ｂは、第１ガイド部１２４ｂ‐１、屈折点Ｐ３ｂ、第２ガイド部１２４ｂ‐２、起点Ｐ１ｂ、中間点Ｐ２ｂおよび終点Ｐ４ｂを有し、サブキーボード１５０ｂを図１（ａ）のようにカバー１１０とベース１２０の間に収納した時、突出部１５２ｂは、起点Ｐ１ａに配置される。屈折点Ｐ３ｂは、起点Ｐ１ｂと終点Ｐ４ｂの間に配置され、第１ガイド部１２４ｂ‐１と第２ガイド部１２４ｂ‐２を連接し、起点Ｐ１ｂは、中間点Ｐ２ｂと屈折点Ｐ３ｂの間に配置される。説明すべきこととして、本実施形態のＬ型ガイド溝１２４ａとＬ型ガイド溝１２４ｂは対称配置であることから、Ｌ型ガイド溝１２４ｂの第１ガイド部１２４ｂ‐１、屈折点Ｐ３ｂ、第２ガイド部１２４ｂ‐２、起点Ｐ１ｂ、中間点Ｐ２ｂおよび終点Ｐ４ｂの配置および回転角φｂの角度は、Ｌ型ガイド溝１２４ａの説明を参照することができるため、ここでは繰り返し説明しない。
【００２４】
上カバー１１０がスライドアセンブリ１４０を連動させてベース１２０に相対してスライドし、サブキーボード１５０ａとサブキーボード１５０ｂを連動させた時、サブキーボード１５０ａの突出部１５２ａがＬ型ガイド溝１２４ａの位置にあり、サブキーボード１５０ｂの突出部１５２ｂがＬ型ガイド溝１２４ｂの位置にあることから、サブキーボード１５０ａとサブキーボード１５０ｂの運動過程を２つの部分に分けることができる。サブキーボード１５０ａを例にして説明すると、第１部分は、突出部１５２ａが第１ガイド部１２４ａ‐１に沿って屈折点Ｐ３ａにスライドする部分である。この時、突出部１５２ａは、起点Ｐ１ａから中間点Ｐ２ａを通過して屈折点Ｐ３ａにスライドし、サブキーボード１５０ａがスライドすると同時にサブキーボード１５０ｂも回動して、完全なキーボード１５０に組み立てられる。第２部分は、突出部１５２ａが屈折点Ｐ３ａから第２ガイド部１２４ａ‐２に沿ってスライドすることのできる部分である。この時、突出部１５２ａは、屈折点Ｐ３ａと終点Ｐ４ａの間でスライドし、サブキーボード１５０ａとサブキーボード１５０ｂは、既に完全なキーボード１５０に組み立てられ、組み立てられた状態を維持する。第２部分の運動過程において、上カバー１１０の完全なキーボード１５０に相対する角度は変化する。同様に、サブキーボード１５０ｂのＬ型ガイド溝１２４ｂにおける運動過程も、２つの部分に分けることができるが、この部分は、サブキーボード１５０ａと同じであるため、ここでは説明を省略する。
【００２５】
本実施形態において、スライドアセンブリ１４０は、スライド軸１４２と、枢接部材１４４とを含む。スライド軸１４２は、シュート１２２にスライド可能に配置される。枢接部材１４４の一端は、上カバー１１０に枢接し、他端は、スライド軸１４２に連接する。本実施形態において、サブキーボード１５０ａとサブキーボード１５０ｂは、スライド軸１４２に套設され、上述した第１部分の運動過程において、スライド軸１４２に相対して回動する。サブキーボード１５０ａは、複数の位置決め部１５４ａ‐１、１５４ａ‐２、１５４ａ‐３および１５４ａ‐４を有し、サブキーボード１５０ｂは、複数の位置決め部１５４ｂ‐１、１５４ｂ‐２、１５４ｂ‐３および１５４ｂ‐４を有する。位置決め部１５４ａ‐１〜１５４ｂ‐４は、例えば、位置決め孔である。
【００２６】
ドッキングステーション１００は、さらに、位置決めアセンブリ１７０ａと位置決めアセンブリ１７０ｂを含む。位置決めアセンブリ１７０ａと位置決めアセンブリ１７０ｂは、例えば、係止部材によりベース１２０の底部に固設され、下カバー１６０とベース１２０の間に配置される。位置決めアセンブリ１７０ａは、サブキーボード１５０ａに対応して設置され、位置決めアセンブリ１７０ｂは、サブキーボード１５０ｂに対応して設置される。詳しく説明すると、位置決めアセンブリ１７０ａは、位置決め柱１７２ａと、バネ等の弾性部材１７４ａとを含む。同様に、位置決めアセンブリ１７０ｂは、位置決め柱１７２ｂと、バ弾性部材１７４ｂとを含む。弾性部材１７４ａは、位置決め柱１７２ａに套設され、弾性部材１７４ｂは、位置決め柱１７２ｂに套設される。
【００２７】
位置決めアセンブリ１７０ａは、対応する位置決め部１５４ａ‐１、１５４ａ‐２、１５４ａ‐３および１５４ａ‐４に選択的に係合され、位置決めアセンブリ１７０ｂは、対応する位置決め部１５４ｂ‐１、１５４ｂ‐２、１５４ｂ‐３および１５４ｂ‐４に選択的に係合される。詳しく説明すると、サブキーボード１５０ａとサブキーボード１５０ｂを上カバー１１０とベース１２０の間に収納した時（図１（ａ）に示す）、あるいは、サブキーボード１５０ａとサブキーボード１５０ｂを完全なキーボード１５０に組み立てた時（図３（ａ）および図４（ａ）に示す）、位置決めアセンブリ１７０ａは、位置決め部１５４ａ‐１、１５４ａ‐２、１５４ａ‐３および１５４ａ‐４のうちの１つに係合され、位置決めアセンブリ１７０ｂは、位置決め部１５４ｂ‐１、１５４ｂ‐２、１５４ｂ‐３および１５４ｂ‐４のうちの１つに係合される。例を挙げて説明すると、図１（ｂ）に示すように、位置決めアセンブリ１７０ａと位置決めアセンブリ１７０ｂは、突出部１５２ａが起点Ｐ１ａにあり、突出部１５２ｂが起点Ｐ１ｂにある時、それぞれ位置決め部１５４ａ‐１と位置決め部１５４ｂ‐１に係合されるため、サブキーボード１５０ａとサブキーボード１５０ｂをベース１２０に固定することができる。
【００２８】
以下、図面を参照しながら、ドッキングステーション１００の上カバー１１０がサブキーボード１５０ａとサブキーボード１５０ｂを連動させて完全なキーボード１５０に組み立てるプロセス、さらに、完全なキーボード１５０と上カバー１１０の間の角度を変更するプロセスについて説明する。
【００２９】
図２（ａ）は、サブキーボードが中間点にある時のドッキングステーションの概略的斜視図である。図２（ｂ）は、図２（ａ）のドッキングステーションの概略的底面図である。図２（ｃ）は、図２（ａ）のドッキングステーションの概略的側面図である。図２（ａ）〜図２（ｃ）を同時に参照すると、上カバー１１０が図１（ａ）の状態からベース１２０に相対して図２（ａ）の状態に回動起立した時、上カバー１１０は、スライドアセンブリ１４０を連動させてベース１２０に相対してスライドし、サブキーボード１５０ａとサブキーボード１５０ｂを連動させるため、サブキーボード１５０ａの突出部１５２ａが第１ガイド部１２４ａ‐１に沿ってスライドして、図１（ｂ）の起点Ｐ１ａから図２（ｂ）の中間点Ｐ２ａにスライドする。同様に、サブキーボード１５０ｂの突出部１５２ｂは、第１ガイド部１２４ｂ‐１に沿ってスライドして、図１（ｂ）の起点Ｐ１ｂから図２（ｂ）の中間点Ｐ２ｂにスライドする。この時、サブキーボード１５０ａとサブキーボード１５０ｂが同時に回動して、支持部材１３０が上カバー１１０とベース１２０の間を支持するため、携帯型電子デバイス５０を安定して起立させることができる。注意すべきこととして、この状態において、突出部１５２ａと突出部１５２ｂは、互いに離れている。
【００３０】
図２（ｄ）は、図２（ｂ）における線ＡＡ’に沿った概略的断面図である。サブキーボード１５０ａが中間点Ｐ２ａにスライドした時、サブキーボード１５０ａは、位置決めアセンブリ１７０ａを押し出す。具体的に説明すると、サブキーボード１５０ａは、対応する位置決め柱１７２ａを押し出すため、位置決め柱１７２ａは、弾性部材１７４ａを沈下させて圧縮する。同様に、サブキーボード１５０ｂは、位置決めアセンブリ１７０ｂを押し出す。これにより、位置決めアセンブリ１７０ａは、図１（ｂ）に示した位置決め部１５４ａ‐１を離脱し、位置決めアセンブリ１７０ｂは、図１（ｂ）に示した位置決め部１５４ｂ‐１を離脱することができる。
【００３１】
図３（ａ）は、サブキーボードが屈折点にある時のドッキングステーションの概略的斜視図である。図３（ｂ）は、図３（ａ）のドッキングステーションの概略的底面図である。図３（ｃ）は、図３（ａ）のドッキングステーションの概略的側面図である。図３（ａ）〜図３（ｃ）を同時に参照すると、上カバー１１０が図２（ａ）の位置からベース１２０に相対して図３（ａ）の状態に回動起立した時、サブキーボード１５０ａの突出部１５２ａは、第１ガイド部１２４ａ‐１に沿ってスライドして、図２（ｂ）の中間点Ｐ２ａから図３（ｂ）の屈折点Ｐ３ａにスライドする。同様に、サブキーボード１５０ｂの突出部１５２ｂは、第１ガイド部１２４ｂ‐１に沿ってスライドして、図２（ｂ）の中間点Ｐ２ｂから図３（ｂ）の屈折点Ｐ３ｂにスライドする。この時、サブキーボード１５０ａとサブキーボード１５０ｂは、完全なキーボード１５０に組み立てられ、上カバー１１０と完全なキーボード１５０の間の角度は、θ１である。この状態において、使用者は、完全なキーボード１５０を入力インターフェースとして使用して、文書操作等を行うことができる。注意すべきこととして、この状態において、突出部１５２ａと突出部１５２ｂは、互いに近づいている。
【００３２】
図３（ｄ）は、図３（ｂ）における線ＢＢ’に沿った概略的断面図である。サブキーボード１５０ａとサブキーボード１５０ｂが完全なキーボード１５０に組み立てられた時、位置決めアセンブリ１７０ａは、サブキーボード１５０ａの位置決め部１５４ａ‐２に係合され、位置決めアセンブリ１７０ｂは、サブキーボード１５０ｂの位置決め部１５４ｂ‐２に係合される。図３（ｄ）に示した位置決めアセンブリ１７０ａを例に挙げると、位置決め柱１７２ａは、弾性部材１７４ａの弾力によって上昇し、サブキーボード１５０ａの位置決め部１５４ａ‐２内に係合される。これにより、完全なキーボード１５０をベース１２０に固定することができる。
【００３３】
図４（ａ）は、サブキーボードが終点にある時のドッキングステーションの概略的斜視図である。図４（ｂ）は、図４（ａ）のドッキングステーションの概略的底面図である。図４（ｃ）は、図４（ａ）のドッキングステーションの概略的側面図である。サブキーボード１５０ａとサブキーボード１５０ｂが完全なキーボード１５０に組み立てられた後、使用者が携帯型電子デバイス５０の表示面５０ａの傾斜角を調整する必要がある場合、上カバー１１０を図３（ａ）の位置から引き続きベース１２０に相対して図４（ａ）の状態に回動起立させることにより、サブキーボード１５０ａの突出部１５２ａは、図３（ｂ）の屈折点Ｐ３ａから第２ガイド部１２４ａ‐２に沿って図４（ｂ）の終点Ｐ４ａにスライドする。同様に、サブキーボード１５０ｂの突出部１５２ｂは、図３（ｂ）の屈折点Ｐ３ｂから第２ガイド部１２４ｂ‐２に沿って図４（ｂ）の終点Ｐ４ｂにスライドする。この時、上カバー１１０と完全なキーボード１５０の間の角度は、θ２に変わる。
【００３４】
この時、位置決めアセンブリ１７０ａおよび１７０ｂは、それぞれ対応する位置決め部１５４ａ‐４および１５４ｂ‐４内に係合されるため、完全なキーボード１５０をベース１２０に相対して固定させることができる。説明すべきこととして、サブキーボード１５０ａは、屈折点Ｐ３ａと終点Ｐ４ａの間の任意の位置でスライドすることができ、サブキーボード１５０ｂは、屈折点Ｐ３ｂと終点Ｐ４ｂの間の任意の位置でスライドすることができるため、完全なキーボード１５０と上カバー１１０の間の角度をθ１とθ２の間で調整することができ、さらに、位置決めアセンブリ１７０ａと位置決めアセンブリ１７０ｂを介して完全なキーボード１５０を固定することができる。例えば、位置決めアセンブリ１７０ａが図１（ｃ）の位置決め部１５４ａ‐３に係合され、位置決めアセンブリ１７０ｂが図１（ｃ）の位置決め部１５４ｂ‐３に係合されている時、完全なキーボード１５０と上カバー１１０の間の角度は、θ１とθ２の間である。もちろん、本発明は位置決め部の数を限定しないため、位置決め部の数は、上カバー１１０と完全なキーボード１５０の間の調整可能な角度の数に基づいて変更可能である。
【００３５】
使用者が完全なキーボード１５０を使用する必要がない時、上述した図２（ａ）〜図４（ａ）のステップを逆に操作するだけで、完全なキーボード１５０をサブキーボード１５０ａとサブキーボード１５０ｂに分解して、上カバー１１０とベース１２０の間に収納することができる。
【００３６】
以上のように、本発明の実施形態のドッキングステーションは、スライドアセンブリが上カバーと２つのサブキーボードを連接しているため、２つのサブキーボードと上カバーを連動させることができる。そのため、使用者が上カバーをベースに相対して回動起立させた時、同時に、２つのサブキーボードを連動させて完全なキーボードに組み立てることができる。さらに、２つのサブキーボードを完全なキーボードに組み立てた後、使用者は、上カバーを引き続きベースに相対して回動起立させることができるため、各サブキーボードを引き続き対応するＬ型ガイド溝でスライドさせて、上カバーと完全なキーボードの間の角度を変えることができ、これにより、快適な視角を得ることができる。上述した操作過程において、支持部材は、上カバーとベースの間を支持して、上カバーを安定して起立させるため、使用者は、上カバーを移動させるだけで他の部材を連動させることができ、操作過程を簡単にすることができる。したがって、本発明のドッキングステーションは、優れた操作便利性を有する。
【００３７】
さらに、使用者が上カバーと完全なキーボードの間の角度を調整した時、ドッキングステーションの位置決めアセンブリが対応するサブキーボードの位置決め部に係合されるため、各サブキーボードをベースに固定することができる。位置決め部の数は、上カバーと完全なキーボードの間の調整可能な角度の数に基づいて変更可能であるため、本発明の実施形態のドッキングステーションは、優れた設計弾性を有する。
【００３８】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００３９】
５０  携帯型電子デバイス
５０ａ  表示面
１００  ドッキングステーション
１１０  上カバー
１２０  ベース
１２２  シュート
１２４ａ、１２４ｂ  Ｌ型ガイド溝
１２４ａ‐１、１２４ｂ‐１  第１ガイド部
１２４ａ‐２、１２４ｂ‐２  第２ガイド部
１３０  支持部材
１４０  スライドアセンブリ
１４２  スライド軸
１４４  枢接部材
１５０  完全なキーボード
１５０ａ、１５０ｂ  サブキーボード
１５２ａ、１５２ｂ  突出部
１５４ａ‐１、１５４ａ‐２、１５４ａ‐３、１５４ａ‐４、１５４ｂ‐１、１５４ｂ‐２、１５４ｂ‐３、１５４ｂ‐４  位置決め部
１６０  下カバー
１７０ａ、１７０ｂ  位置決めアセンブリ
１７２ａ、１７２ｂ  位置決め柱
１７４ａ、１７４ｂ  弾性部材
Ｐ１ａ、Ｐ１ｂ  起点
Ｐ２ａ、Ｐ２ｂ  中間点
Ｐ３ａ、Ｐ３ｂ  屈折点
Ｐ４ａ、Ｐ４ｂ  終点
φａ、φｂ  回転角
θ１、θ２  角度
【図１（ａ）】
0005918871.tif 000002
【図１（ｂ）】
0005918871.tif 000003
【図１（ｃ）】
0005918871.tif 000004
【図２（ａ）】
0005918871.tif 000005
【図２（ｂ）】
0005918871.tif 000006
【図２（ｃ）】
0005918871.tif 000007
【図２（ｄ）】
0005918871.tif 000008
【図３（ａ）】
0005918871.tif 000009
【図３（ｂ）】
0005918871.tif 000010
【図３（ｃ）】
0005918871.tif 000011
【図３（ｄ）】
0005918871.tif 000012
【図４（ａ）】
0005918871.tif 000013
【図４（ｂ）】
0005918871.tif 000014
【図４（ｃ）】
0005918871.tif 000015